(57)【特許請求の範囲】
【請求項１】
複数の薬品それぞれについて、残量と、１つ以上の服薬タイミングと、前記服薬タイミングに服薬する服薬量とを記憶した薬品記憶部と、
服薬タイミングを示す服薬入力を受け付ける入力受付部と、
前記入力受付部が服薬入力を受け付けた場合、前記薬品記憶部が記憶した薬品のうち前記服薬入力が示す服薬タイミングに服薬する予定の全ての薬品について、残量から、前記服薬入力が示す服薬タイミングに服薬する服薬量を減算する残量減算部と
を備える薬品管理装置。
【請求項２】
前記薬品管理装置は、さらに、
前記服薬入力が示す服薬タイミングよりも前の服薬タイミングであって、服薬する予定になっている服薬タイミングを示す服薬入力が入力されていない場合、警告を表示する警告表示部
を備える請求項１に記載の薬品管理装置。
【請求項３】
前記薬品管理装置は、さらに、
前記服薬入力が示す服薬タイミングよりも前の服薬タイミングであって、服薬する予定になっている服薬タイミングを示す服薬入力が入力されていない場合、服薬し忘れを示すメッセージを送信するメッセージ送信部
を備える請求項１又は２に記載の薬品管理装置。
【請求項４】
前記薬品管理装置は、さらに、
前記入力受付部が服薬入力を受け付けた場合、服薬したことを示すメッセージを送信するメッセージ送信部
を備える請求項１から３までのいずれか１項に記載の薬品管理装置。
【請求項５】
前記薬品管理装置は、さらに、
前記薬品の服薬者以外の支援者の宛先を記憶する宛先記憶部
を備え、
前記メッセージ送信部は、前記宛先記憶部が記憶した支援者の宛先へ前記メッセージを送信する
請求項３又は４に記載の薬品管理装置。
【請求項６】
前記薬品管理装置は、さらに、
前記服薬入力が示す服薬タイミングよりも前の服薬タイミングであって、服薬する予定になっている服薬タイミングを示す服薬入力が入力されていない場合、前記前の服薬タイミングを飲み忘れタイミングとして記憶する飲み忘れ記憶部
を備える請求項１から５までのいずれか１項に記載の薬品管理装置。
【請求項７】
前記服薬タイミングには、時間帯が割り当てられており、
前記薬品管理装置は、さらに、
前記入力受付部が服薬入力を受け付けた時刻を示す時刻情報を取得する時刻取得部と、
前記時刻取得部が取得した時刻が、前記服薬入力が示す服薬タイミングに割り当てられた時間帯外の場合、前記服薬入力が示す服薬タイミングを飲み間違いタイミングとして記憶する飲み間違い記憶部と
を備える請求項１から６までのいずれか１項に記載の薬品管理装置。
【請求項８】
前記薬品管理装置は、さらに
服薬タイミングを表す入力ボタンを示す入力画面を表示する入力画面表示部
を備え、
前記入力受付部は、前記入力画面表示部が表示した入力画面における入力ボタンが押された場合に、押された入力ボタンが示す服薬タイミングを示す服薬入力を受け付ける
請求項１から７までのいずれか１項に記載の薬品管理装置。
【請求項９】
前記入力受付部は、服薬タイミング示す音声が入力された場合に、入力された音声が示す服薬タイミングを示す服薬入力を受け付ける
請求項１から８までのいずれか１項に記載の薬品管理装置。
【請求項１０】
複数の薬品それぞれについて、残量と、１つ以上の服薬タイミングと、前記服薬タイミングに服薬する服薬量とを記憶した薬品記憶部を用いた薬品管理プログラムであり、
服薬タイミングを示す服薬入力を受け付ける入力受付処理と、
前記入力受付処理で服薬入力を受け付けた場合、前記薬品記憶部が記憶した薬品のうち前記服薬入力が示す服薬タイミングに服薬する予定の全ての薬品について、残量から、前記服薬入力が示す服薬タイミングに服薬する服薬量を減算する残量減算処理と
をコンピュータに実行させる薬品管理プログラム。
【発明の詳細な説明】
【技術分野】
【０００１】
この発明は、処方された薬品を管理する技術に関する。
【背景技術】
【０００２】
特許文献１，２には、処方箋に付された二次元コードを読み取ることにより、処方された薬品の種類と用法と用量とを読み込んで管理することが記載されている。特に、特許文献１，２には、利用者が服薬時刻を設定して、服薬時刻になるとアラーム表示を行うことが記載されている。
【先行技術文献】
【特許文献】
【０００３】
【特許文献１】特開２０１３−２５０８９０号公報
【特許文献２】特開２００９−１２５３８６号公報
【発明の概要】
【発明が解決しようとする課題】
【０００４】
例えば、定期的に同じ薬が処方されるような場合がある。この場合、定期的に同量の薬品が処方される。しかし、処方された薬品の飲み忘れがあると、薬品が余ってしまい、無駄になってしまう。
特許文献１，２に記載された技術では、薬品の飲み忘れの防止を図っているものの、完全に飲み忘れをなくせるとは言い切れない。
この発明は、簡便な方法により薬品の残量を管理することを目的とする。
【０００５】
この発明に係る薬品管理装置は、
薬品について、残量と、１つ以上の服薬タイミングと、前記服薬タイミングに服薬する服薬量とを記憶した薬品記憶部と、
服薬タイミングを示す服薬入力を受け付ける入力受付部と、
前記入力受付部が服薬入力を受け付けた場合、前記薬品記憶部が記憶した残量から、前記服薬入力が示す服薬タイミングに服薬する服薬量を減算する残量減算部と
【０００６】
前記薬品記憶部は、複数の薬品それぞれについて、残量と、１つ以上の服薬タイミングと、前記服薬タイミングに服薬する服薬量とを記憶し、
前記残量減算部は、前記薬品記憶部が記憶した薬品のうち前記服薬入力が示す服薬タイミングに服薬する予定の薬品について、残量から、前記服薬入力が示す服薬タイミングに服薬する服薬量を減算する。
【０００７】
前記薬品管理装置は、さらに、
前記服薬入力が示す服薬タイミングよりも前の服薬タイミングであって、服薬する予定になっている服薬タイミングを示す服薬入力が入力されていない場合、警告を表示する警告表示部
を備える。
【０００８】
前記薬品管理装置は、さらに、
前記服薬入力が示す服薬タイミングよりも前の服薬タイミングであって、服薬する予定になっている服薬タイミングを示す服薬入力が入力されていない場合、服薬し忘れを示すメッセージを送信するメッセージ送信部
を備える。
【０００９】
前記薬品管理装置は、さらに、
前記入力受付部が服薬入力を受け付けた場合、服薬したことを示すメッセージを送信するメッセージ送信部
を備える。
【００１０】
前記薬品管理装置は、さらに、
前記薬品の服薬者以外の支援者の宛先を記憶する宛先記憶部
を備え、
前記メッセージ送信部は、前記宛先記憶部が記憶した支援者の宛先へ前記メッセージを送信する。
【００１１】
前記薬品管理装置は、さらに、
前記服薬入力が示す服薬タイミングよりも前の服薬タイミングを示す服薬入力が入力されていない場合、前記前の服薬タイミングを飲み忘れタイミングとして記憶する飲み忘れ記憶部
を備える。
【００１２】
前記服薬タイミングには、時間帯が割り当てられており、
前記薬品管理装置は、さらに、
前記入力受付部が服薬入力を受け付けた時刻を示す時刻情報を取得する時刻取得部と、
前記時刻取得部が取得した時刻が、前記服薬入力が示す服薬タイミングに割り当てられた時間帯外の場合、前記服薬入力が示す服薬タイミングを飲み間違いタイミングとして記憶する飲み間違い記憶部と
を備える。
【００１３】
前記薬品管理装置は、さらに
服薬タイミングを表す入力ボタンを示す入力画面を表示する入力画面表示部
を備え、
前記入力受付部は、前記入力画面表示部が表示した入力画面における入力ボタンが押された場合に、押された入力ボタンが示す服薬タイミングを示す服薬入力を受け付ける。
【００１４】
前記入力受付部は、服薬タイミング示す音声が入力された場合に、入力された音声が示す服薬タイミングを示す服薬入力を受け付ける。
【００１５】
この発明に係る薬品管理プログラムは、
薬品について、残量と、１つ以上の服薬タイミングと、前記服薬タイミングに服薬する服薬量とを記憶した薬品記憶部を用いた薬品管理プログラムであり、
服薬タイミングを示す服薬入力を受け付ける入力受付処理と、
前記入力受付処理で服薬入力を受け付けた場合、前記薬品記憶部が記憶した残量から、前記服薬入力が示す服薬タイミングに服薬する服薬量を減算する残量減算処理と
をコンピュータに実行させる。
【発明の効果】
【００１６】
この発明では、服薬タイミングを示す服薬入力を受け付けると、その服薬タイミングの服薬量を残量から減算する。これにより、単に服薬した服薬タイミングを入力するだけで、薬品の残量を管理することが可能である。
【図面の簡単な説明】
【００１７】
【図１】実施の形態１に係る薬品管理装置１０の構成図。
【図２】薬品記憶部１１が記憶する情報を示す図。
【図３】処方情報読込部１２が記憶する情報を示す図。
【図４】薬の一包化の説明図。
【図５】入力画面表示部１３が表示する入力画面を示す図。
【図６】結果表示部１６が表示する情報を示す図。
【図７】実施の形態１に係る薬品管理装置１０の動作を示すフローチャート。
【図８】実施の形態２に係る薬品管理装置１０の構成図。
【図９】実施の形態２に係る薬品管理装置１０の動作を示すフローチャート。
【図１０】実施の形態３に係る薬品管理装置１０の構成図。
【図１１】結果表示部１６が表示する情報を示す図。
【図１２】実施の形態３に係る薬品管理装置１０の動作を示すフローチャート。
【図１３】実施の形態４に係る薬品管理装置１０の構成図。
【図１４】結果表示部１６が表示する情報を示す図。
【図１５】実施の形態４に係る薬品管理装置１０の動作を示すフローチャート。
【図１６】実施の形態１〜４に係る薬品管理装置１０のハードウェア構成例を示す図。
【発明を実施するための形態】
【００１８】
実施の形態１．
＊＊＊構成の説明＊＊＊
図１に基づき、実施の形態１に係る薬品管理装置１０の構成を説明する。
薬品管理装置１０は、薬品記憶部１１と、処方情報読込部１２と、入力画面表示部１３と、入力受付部１４と、残量減算部１５と、結果表示部１６とを備える。
【００１９】
薬品記憶部１１は、複数の薬品それぞれについて、薬品名と、残量と、１つ以上の服薬タイミングと、服薬タイミングにおける服薬量とを記憶する記憶装置である。
ここでは、薬品記憶部１１は、薬の一包化に従い、処方された各薬品の情報を分解して記憶する。具体的には、薬品記憶部１１は、図２に示すように、服薬タイミング及び薬品名毎に、総量と、残量と、服薬量とを記憶する。
服薬タイミングは、朝食後、昼食後、夕食後、頓服薬等である。薬品名は、薬品を識別可能な名称である。総量は、服薬タイミングが示すタイミングに服薬する、薬品名が示す薬品の総量である。残量は、服薬タイミングが示すタイミングに服薬する、薬品名が示す薬品の残量である。例えば、朝食後と、昼食後と、夕食後とに１錠ずつ服薬する△△錠が１０日分処方された場合、図２に示すように、△△錠についての総量と残量の初期値とは、朝食後が１０錠、昼食後が１０錠、夕食後が１０錠となる。したがって、△△錠としての総量は、各服薬タイミングの総量の合計になり、初期値は３０錠になる。残量についても、同様に、△△錠としての残量は、各服薬タイミングの残量の合計になる。
【００２０】
処方情報読込部１２は、処方された薬品それぞれについて、薬品名と、用法と、用量とを読み込む。
ここでは、処方情報読込部１２は、図３に示すように、薬局等で薬品とともに渡される領収書等に印刷された二次元コードを読み取ることにより、二次元コードに設定された薬品名と、用法と、用量とを読み込む。二次元コードに薬品名と、用法と、用量とを設定することは、処方箋の情報を管理するレセプトコンピュータに、処方箋の情報を設定した二次元コードを生成させることにより実現できる。
なお、領収書ではなく、処方された薬品の説明が記載された薬剤情報提供文書に二次元コードが印刷されるようになっていてもよい。
【００２１】
処方情報読込部１２は、図４に示すように、読み込んだ情報を薬の一包化に従い分解した上で、薬品記憶部１１に格納する。
具体的には、処方情報読込部１２は、各薬品について、用法から服薬タイミングと、その服薬タイミングにおける服薬量とを特定し、用法及び用量から、各服薬タイミングについての総量及び残量を特定する。そして、処方情報読込部１２は、服薬タイミング及び薬品名毎に、総量と、残量と、服薬量とを薬品記憶部１１に格納する。
【００２２】
入力画面表示部１３は、薬品記憶部１１に記憶された情報を読み出して、服薬タイミングを表す入力ボタンを示す入力画面を表示する。
ここでは、入力画面表示部１３は、図５に示すように、服薬タイミングを表す朝食後（１）、昼食後（２）、夕食後（３）、頓服（４）という入力ボタンを示す入力画面を表示する。各入力ボタンには、その服薬タイミングで服薬する薬品の薬品名及び服薬量が表示される。
【００２３】
入力受付部１４は、入力画面表示部１３が表示した入力画面における入力ボタンが押された場合に、押された入力ボタンが示す服薬タイミングを示す服薬入力を受け付ける。
つまり、図５であれば、（１）が押されれば、朝食後の服薬タイミングが入力され、（２）が押されれば、昼食後の服薬タイミングが入力され、（３）が押されれば、夕食後の服薬タイミングが入力され、（４）が押されれば、頓服の服薬タイミングが入力される。
なお、入力受付部１４は、音声により服薬入力を受け付けてもよい。すなわち、入力受付部１４は、服薬タイミング示す音声が入力された場合に、入力された音声が示す服薬タイミングを示す服薬入力を受け付けるとしてもよい。例えば、入力画面表示部１３が表示した入力画面の番号（図５であれば、（１）から（４）の番号）が音声により入力された場合に、その番号が示す服薬タイミングが入力される。また、例えば、“朝食後の薬を飲んだ”という音声が入力されれば、朝食後の服薬タイミングが入力され、“頓服を飲んだ”という音声が入力されれば、頓服の服薬タイミングが入力される。
【００２４】
残量減算部１５は、入力受付部１４が服薬入力を受け付けた場合、薬品記憶部１１が記憶した薬品のうち服薬入力が示す服薬タイミングに服薬する予定の薬品について、残量から、服薬入力が示す服薬タイミングに服薬する服薬量を減算する。
図２から図５に示す例であれば、（１）が押され朝食後の服薬タイミングが入力された場合、朝食後が服薬タイミングになっている〇〇錠と△△錠とについて、それぞれ、残量から朝食後の服薬量である１錠が減算される。
【００２５】
結果表示部１６は、利用者からの指示に従い、図６に示すように、薬品毎の服薬率及び残量を表示する。服薬率は、服薬すべき回数中、実際に服薬した回数の割合である。また、結果表示部１６は、服薬タイミング及び薬品毎の残量を表示してもよい。
【００２６】
＊＊＊動作の説明＊＊＊
図７に基づき、実施の形態１に係る薬品管理装置１０の動作を説明する。
実施の形態１に係る薬品管理装置１０の動作は、実施の形態１に係る薬品管理方法に相当する。また、実施の形態１に係る薬品管理装置１０の動作は、実施の形態１に係る薬品管理プログラムの処理に相当する。
【００２７】
薬品が処方されると、Ｓ１１の処理が実行される。
Ｓ１１の処方情報読込処理では、処方情報読込部１２は、処方された薬品について、薬品名と、用法と、用量とを読み込み、薬品記憶部１１に格納する。
【００２８】
Ｓ１１の処理が実行された後、薬品の残量がなくなる、又は、再び薬品が処方されるまで、Ｓ１２からＳ１３の処理が繰り返し実行される。
Ｓ１２の入力受付処理では、入力画面表示部１３が入力画面を表示し、入力受付部１４が入力画面における入力ボタンが押された場合に服薬入力を受け付ける。Ｓ１３の残量減算処理では、薬品記憶部１１が記憶した残量から、Ｓ１２で受け付けた服薬入力が示す服薬タイミングにおける服薬量を減算する。
【００２９】
再び薬品が処方された場合、Ｓ１１へ処理が戻される。一方、利用者から結果表示の指示が入力された場合、Ｓ１４へ処理が進む。
Ｓ１４の結果表示処理では、結果表示部１６は、薬品毎の残量を表示する。
【００３０】
Ｓ１１では、過去に処方され、残量がある薬品が再び読み込まれた場合には、過去の情報を削除した上で、読み込まれた情報を格納してもよいし、過去の情報に、読み込まれた情報を追加してもよい。
例えば、朝食後に服薬する〇〇錠の残量が３錠残っているときに、図２に示す処方箋の情報を読み込んだとする。このとき、朝食後に服薬する〇〇錠の残量が３錠残っているという情報を削除した上で、読み込んだ処方箋の情報を薬品記憶部１１に格納してもよい。この場合、朝食後に服薬する〇〇錠の残量は１０錠になる。また、朝食後に服薬する〇〇錠の残量が３錠残っているという情報に、読み込んだ処方箋の情報を追加してもよい。この場合、朝食後に服薬する〇〇錠の残量は１３錠になる。
【００３１】
＊＊＊効果の説明＊＊＊
以上のように、実施の形態１に係る薬品管理装置１０は、服薬タイミングを示す服薬入力を受け付けると、その服薬タイミングに服薬する各薬品の残量から、その薬品の服薬量を減算する。これにより、単に服薬した服薬タイミングを入力するだけで、その服薬タイミングに服薬する薬品の残量を適切な値にすることができる。
【００３２】
病院での診察時に結果表示部１６により各薬品の残量を医師に見せることにより、医師に服薬状態を知らせることができる。
これにより、残量が多い場合には、処方する薬品の量を調節してもらい、薬品の無駄を省くことができる。また、医師が服薬状態と照らして患者の状況を見ることができ、より適切な診断をすることが可能である。例えば、残量が多く服薬をあまりしていない状態で、症状が改善しているようであれば、薬品の量を減らすことや、薬品を変更することを医師が検討することができる。
【００３３】
実施の形態２．
実施の形態２では、必要に応じて警告の表示やメッセージの送信をする点が実施の形態１と異なる。実施の形態２では、この異なる点について説明する。
【００３４】
＊＊＊構成の説明＊＊＊
図８に基づき、実施の形態２に係る薬品管理装置１０の構成を説明する。
薬品管理装置１０は、図１に示す構成に加え、警告表示部１７と、メッセージ送信部１８と、宛先記憶部１９と備える。
【００３５】
警告表示部１７は、入力受付部１４が受け付けた服薬入力が示す服薬タイミングよりも前の服薬タイミングであって、服薬する予定になっている服薬タイミングを示す服薬入力が入力されていない場合、服薬し忘れを示す警告を表示する。
例えば、朝食後の服薬タイミングの入力がされずに、昼食後の服薬タイミングの入力がされた場合、警告表示部１７は、朝食後に服薬されていないことを示す警告を表示する。
【００３６】
メッセージ送信部１８は、入力受付部１４が受け付けた服薬入力が示す服薬タイミングよりも前の服薬タイミングであって、服薬する予定になっている服薬タイミングを示す服薬入力が入力されていない場合、服薬し忘れを示すメッセージを送信する。また、メッセージ送信部１８は、入力受付部が服薬入力を受け付けた場合、服薬したことを示すメッセージを送信する。
例えば、朝食後の服薬タイミングの入力がされずに、昼食後の服薬タイミングの入力がされた場合、メッセージ送信部１８は、朝食後に服薬されていないことを示すメッセージと、昼食後に服薬されたことを示すメッセージとを送信する。また昼食後の服薬タイミングの入力がされた状態で、夕食後の服薬タイミングの入力がされた場合、メッセージ送信部１８は、夕食後に服薬されたことを示すメッセージを送信する。
【００３７】
宛先記憶部１９は、メッセージ送信部１８がメッセージを送信する宛先を記憶する記憶装置である。ここでは、宛先記憶部１９は、薬品の服薬者以外の支援者の宛先を記憶する。支援者とは、例えば、親族やヘルパー等である。
【００３８】
＊＊＊動作の説明＊＊＊
図９に基づき、実施の形態２に係る薬品管理装置１０の動作を説明する。
薬品が処方されると、Ｓ２１の処理が実行される。Ｓ２１の処理は、図７のＳ１１の処理と同じである。
【００３９】
Ｓ２１が実行された後、薬品の残量がなくなる、又は、再び薬品が処方されるまで、Ｓ２２からＳ２５の処理が繰り返し実行される。Ｓ２２からＳ２３の処理は、図７のＳ１２からＳ１３の処理と同じである。
Ｓ２４の警告表示処理では、警告表示部１７が、Ｓ２２で受け付けた服薬入力が示す服薬タイミングよりも前の服薬タイミングであって、服薬する予定になっている服薬タイミングを示す服薬入力が入力されていない場合、服薬し忘れを示す警告を表示する。
Ｓ２５のメッセージ送信処理では、メッセージ送信部１８は、Ｓ２２で受け付けた服薬入力が示す服薬タイミングよりも前の服薬タイミングであって、服薬する予定になっている服薬タイミングを示す服薬入力が入力されていない場合、服薬し忘れを示すメッセージを送信する。また、メッセージ送信部１８は、入力受付部が服薬入力を受け付けた場合、服薬したことを示すメッセージを送信する。
【００４０】
再び薬品が処方された場合、Ｓ２１へ処理が戻される。一方、利用者から結果表示の指示が入力された場合、Ｓ２６へ処理が進む。Ｓ２６の処理は、図７のＳ１４の処理と同じである。
【００４１】
＊＊＊効果の説明＊＊＊
以上のように、実施の形態２に係る薬品管理装置１０は、飲み忘れがあった場合に、警告を表示して薬品の服薬者に飲み忘れを知らせるとともに、服薬者以外の支援者にメッセージを送信して飲み忘れを知らせる。これにより、以降の飲み忘れの防止につながる。また、実施の形態２に係る薬品管理装置１０は、服薬した場合にも、支援者にメッセージを送信して服薬したことを知らせる。これにより、支援者は飲み忘れしていないことを知ることができる。
【００４２】
親族が離れて暮らしている場合のように、支援者が服薬者の近くにいない場合には、支援者は直接服薬の手伝いをすることが難しい。しかし、服薬した場合、及び、服薬し忘れた場合にメッセージが送信されることで、支援者が服薬の状態を知ることができ、支援者から服薬者へ服薬を促すこと等が可能となる。
【００４３】
また、支援者に定期的にメッセージが送られるため、メッセージにより支援者が服薬者の安否を確認できる。
【００４４】
なお、上記説明では、服薬入力が入力された場合にだけメッセージが送信されることになる。この場合、服薬入力がされない間は一切メッセージが送信されなくなってしまう。
そこで、１日等の一定期間服薬入力が入力されない場合にも、メッセージ送信部１８は一定期間飲み忘れていることを示すメッセージを送信してもよい。
【００４５】
また、薬品の残量が少なくなった場合に、メッセージ送信部１８は、残量が少ないことを示すメッセージを送信してもよい。これにより、必要な薬品がなくなってしまうことを防止できる。
【００４６】
実施の形態３．
実施の形態３は、飲み忘れを管理する点が実施の形態１，２と異なる。実施の形態３では、この異なる点について説明する。
【００４７】
＊＊＊構成の説明＊＊＊
図１０に基づき、実施の形態３に係る薬品管理装置１０の構成を説明する。
薬品管理装置１０は、図８に示す構成に加え、飲み忘れ記憶部２０を備える。
【００４８】
飲み忘れ記憶部２０は、服薬入力が示す服薬タイミングよりも前の服薬タイミングであって、服薬する予定になっている服薬タイミングを示す服薬入力が入力されていない場合、前の服薬タイミングを飲み忘れタイミングとして記憶する。ここでは、飲み忘れ記憶部２０は、服薬タイミング毎に、飲み忘れ回数をカウントして記憶する。
例えば、朝食後の服薬タイミングの入力がされずに、昼食後の服薬タイミングの入力された場合、飲み忘れ記憶部２０は、朝食後の服薬タイミングを飲み忘れタイミングとする。そして、飲み忘れ記憶部２０は、朝食後の服薬タイミングの飲み忘れ回数に１加算する。
【００４９】
結果表示部１６は、利用者からの指示に従い、図１１に示すように、薬品服薬タイミング毎の飲み忘れ回数を表示する。
【００５０】
＊＊＊動作の説明＊＊＊
図１２に基づき、実施の形態３に係る薬品管理装置１０の動作を説明する。
薬品が処方されると、Ｓ３１の処理が実行される。Ｓ３１の処理は、図９のＳ２１の処理と同じである。
【００５１】
Ｓ３１が実行された後、薬品の残量がなくなる、又は、再び薬品が処方されるまで、Ｓ３２からＳ３６の処理が繰り返し実行される。Ｓ３２からＳ３５の処理は、図９のＳ２２からＳ２５の処理と同じである。
Ｓ３６の飲み忘れ記憶処理では、飲み忘れ記憶部２０は、服薬入力が示す服薬タイミングよりも前の服薬タイミングを示す服薬入力が入力されていない場合、前の服薬タイミングの飲み忘れ回数に１加算する。
【００５２】
再び薬品が処方された場合、Ｓ３１へ処理が戻される。一方、利用者から結果表示の指示が入力された場合、Ｓ３７へ処理が進む。
Ｓ３７の結果表示処理では、結果表示部１６は、薬品毎の残量と、服薬タイミング毎の飲み忘れ回数との少なくともいずれかを表示する。
【００５３】
＊＊＊効果の説明＊＊＊
以上のように、実施の形態３に係る薬品管理装置１０は、服薬入力が示す服薬タイミングよりも前の服薬タイミングを示す服薬入力が入力されていない場合、前の服薬タイミングを飲み忘れタイミングとする。これにより、単に服薬した服薬タイミングを入力するだけで、服薬タイミング毎の飲み忘れ回数を管理できる。
【００５４】
病院での診察時に結果表示部１６により服薬タイミング毎の飲み忘れ回数を医師に見せることにより、医師に飲み忘れの傾向を知らせることができる。
これにより、飲み忘れが多いのが昼食後である場合には、朝食後及び夕食後の２回の服薬で済むように処方内容を変更する等の対策をとることが可能である。
【００５５】
なお、頓服薬については、痛むときや熱が高いときに服薬するものであるため、飲み忘れの対象外である。
【００５６】
実施の形態４．
実施の形態４は、異なるタイミングで服薬した飲み間違いを管理する点が実施の形態１〜３と異なる。実施の形態４では、この異なる点を説明する。
【００５７】
＊＊＊構成の説明＊＊＊
図１３に基づき、実施の形態４に係る薬品管理装置１０の構成を説明する。
薬品管理装置１０は、図１０に示す構成に加え、時刻取得部２１と、飲み間違い記憶部２２とを備える。
【００５８】
時刻取得部２１は、入力受付部１４が服薬入力を受け付けた時刻を示す時刻情報を内部時計等から取得する。
【００５９】
飲み間違い記憶部２２は、時刻取得部２１が取得した時刻が、服薬入力が示す服薬タイミングに割り当てられた時間帯外の場合、服薬入力が示す服薬タイミングを飲み間違いタイミングとして記憶する。ここでは、飲み間違い記憶部２２は、服薬タイミング毎に、飲み間違い回数をカウントして記憶する。
なお、各服薬タイミングには、予め時間帯が割り当てられている。例えば、朝食後は７：００〜８：００、昼食後は１２：３０〜１３：３０、夕食後は１９：００〜２０：００と割り当てられている。
例えば、朝食後の服薬タイミングの入力が１０：００にされた場合、飲み忘れ記憶部２０は、朝食後の服薬タイミングの飲み間違い回数に１加算する。
【００６０】
結果表示部１６は、利用者からの指示に従い、図１４に示すように、服薬タイミング毎の飲み間違い回数を表示する。
【００６１】
＊＊＊動作の説明＊＊＊
図１５に基づき、実施の形態４に係る薬品管理装置１０の動作を説明する。
薬品が処方されると、Ｓ４１の処理が実行される。Ｓ４１の処理は、図１２のＳ３１の処理と同じである。
【００６２】
Ｓ４１が実行された後、薬品の残量がなくなる、又は、再び薬品が処方されるまで、Ｓ４２からＳ４７の処理が繰り返し実行される。Ｓ４４からＳ４６の処理は、図１２のＳ３２からＳ３６の処理と同じである。但し、Ｓ４２では、入力受付部１４が服薬入力を受け付けた際、時刻取得部２１が時刻を取得する。
Ｓ４７の飲み間違い記憶処理では、飲み間違い記憶部２２は、Ｓ４２で取得された時刻が、服薬入力が示す服薬タイミングに割り当てられた時間帯外の場合、服薬入力が示す服薬タイミングの飲み間違い回数に１加算する。
【００６３】
再び薬品が処方された場合、Ｓ４１へ処理が戻される。一方、利用者から結果表示の指示が入力された場合、Ｓ４８へ処理が進む。
Ｓ４８の結果表示処理では、結果表示部１６は、薬品毎の残量と、服薬タイミング毎の飲み忘れ回数と、服薬タイミング毎の飲み間違い回数との少なくともいずれかを表示する。
【００６４】
＊＊＊効果の説明＊＊＊
以上のように、実施の形態４に係る薬品管理装置１０は、服薬入力が入力された時刻が、服薬入力が示す服薬タイミングに割り当てられた時間帯外の場合、服薬入力が示す服薬タイミングを飲み間違いタイミングとする。これにより、単に服薬した服薬タイミングを入力するだけで、服薬タイミング毎の飲み間違い回数を管理できる。
【００６５】
病院での診察時に結果表示部１６により服薬タイミング毎の飲み間違い回数を医師に見せることにより、医師に飲み間違いの傾向を知らせることができる。
これにより、飲み間違いが多いのが昼食後である場合には、朝食後及び夕食後の２回の服薬で済むように処方内容を変更する等の対策をとることが可能である。
【００６６】
なお、上記説明では、各服薬タイミングには、予め時間帯が割り当てられているとした。食事の時間等は、利用者毎に異なるため、各服薬タイミングに割り当てる時間帯は、利用者が設定できるようにしてもよい。
【００６７】
また、上記説明では、服薬タイミングとして、朝食後、昼食後、夕食後、頓服薬という４種類を用いた。服薬タイミングとしては、これ以外にも、起床後、朝食前、昼食前、夕食前、就寝前といったタイミングも考えられる。したがって、服薬タイミングについても、利用者が設定できるようにしてもよい。
【００６８】
また、上記説明では、処方情報読込部１２は、二次元コードを読み込むことにより、薬品名と、用法と、用量とを読み込むとした。しかし、処方情報読込部１２は、レセプトコンピュータ等からネットワーク経由で薬品名と、用法と、用量とを読み込んでもよい。
【００６９】
また、入力受付部１４は、服薬入力とともに、服薬入力時点の体調と、体温、血圧等の身体情報との入力を受け付けてもよい。そして、結果表示部１６は、残量等とともに、服薬入力時点の体調と、身体情報とを表示してもよい。
これにより、医師が薬品の服薬状況と患者の状態とを合わせて確認でき、より適切な診断をすることが可能である。
【００７０】
図１６は、実施の形態１〜４に係る薬品管理装置１０のハードウェア構成例を示す図である。
薬品管理装置１０はコンピュータである。
薬品管理装置１０は、プロセッサ９０１、補助記憶装置９０２、メモリ９０３、通信装置９０４、入力インタフェース９０５、ディスプレイインタフェース９０６といったハードウェアを備える。
プロセッサ９０１は、信号線９１０を介して他のハードウェアと接続され、これら他のハードウェアを制御する。
入力インタフェース９０５は、ケーブル９１１により入力装置９０７に接続されている。
ディスプレイインタフェース９０６は、ケーブル９１２によりディスプレイ９０８に接続されている。
【００７１】
プロセッサ９０１は、プロセッシングを行うＩＣ（Ｉｎｔｅｇｒａｔｅｄ  Ｃｉｒｃｕｉｔ）である。プロセッサ９０１は、例えば、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）である。
補助記憶装置９０２は、例えば、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）である。
メモリ９０３は、例えば、ＲＡＭ（Ｒａｎｄｏｍ  Ａｃｃｅｓｓ  Ｍｅｍｏｒｙ）である。
通信装置９０４は、データを受信するレシーバー９０４１及びデータを送信するトランスミッター９０４２を含む。通信装置９０４は、例えば、通信チップ又はＮＩＣ（Ｎｅｔｗｏｒｋ  Ｉｎｔｅｒｆａｃｅ  Ｃａｒｄ）である。
入力インタフェース９０５は、入力装置９０７のケーブル９１１が接続されるポートである。入力インタフェース９０５は、例えば、ＵＳＢ（Ｕｎｉｖｅｒｓａｌ  Ｓｅｒｉａｌ  Ｂｕｓ）端子である。
ディスプレイインタフェース９０６は、ディスプレイ９０８のケーブル９１２が接続されるポートである。ディスプレイインタフェース９０６は、例えば、ＵＳＢ端子又はＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）端子である。
入力装置９０７は、例えば、マウス、キーボード又はタッチパネルである。
ディスプレイ９０８は、例えば、ＬＣＤ（Ｌｉｑｕｉｄ  Ｃｒｙｓｔａｌ  Ｄｉｓｐｌａｙ）である。
【００７２】
補助記憶装置９０２には、上述した処方情報読込部１２、入力画面表示部１３、入力受付部１４、残量減算部１５、結果表示部１６、警告表示部１７、メッセージ送信部１８、宛先記憶部１９、飲み忘れ記憶部２０、時刻取得部２１、飲み間違い記憶部２２（以下、処方情報読込部１２、入力画面表示部１３、入力受付部１４、残量減算部１５、結果表示部１６、警告表示部１７、メッセージ送信部１８、宛先記憶部１９、飲み忘れ記憶部２０、時刻取得部２１、飲み間違い記憶部２２をまとめて「部」と表記する）の機能を実現するプログラムが記憶されている。
このプログラムは、メモリ９０３にロードされ、プロセッサ９０１に読み込まれ、プロセッサ９０１によって実行される。
更に、補助記憶装置９０２には、ＯＳ（Ｏｐｅｒａｔｉｎｇ  Ｓｙｓｔｅｍ）も記憶されている。
そして、ＯＳの少なくとも一部がメモリ９０３にロードされ、プロセッサ９０１はＯＳを実行しながら、「部」の機能を実現するプログラムを実行する。
図１６では、１つのプロセッサ９０１が図示されているが、薬品管理装置１０が複数のプロセッサ９０１を備えていてもよい。そして、複数のプロセッサ９０１が「部」の機能を実現するプログラムを連携して実行してもよい。
また、「部」の処理の結果を示す情報やデータや信号値や変数値と、薬品記憶部１１が記憶するとした情報やデータや信号値や変数値とが、メモリ９０３、補助記憶装置９０２、又は、プロセッサ９０１内のレジスタ又はキャッシュメモリにファイルとして記憶される。
【００７３】
「部」を「サーキットリー」で提供してもよい。また、「部」を「回路」又は「工程」又は「手順」又は「処理」に読み替えてもよい。「回路」及び「サーキットリー」は、プロセッサ９０１だけでなく、ロジックＩＣ又はＧＡ（Ｇａｔｅ  Ａｒｒａｙ）又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）又はＦＰＧＡ（Ｆｉｅｌｄ−Ｐｒｏｇｒａｍｍａｂｌｅ  Ｇａｔｅ  Ａｒｒａｙ）といった他の種類の処理回路をも包含する概念である。
【符号の説明】
【００７４】
１０  薬品管理装置、１１  薬品記憶部、１２  処方情報読込部、１３  入力画面表示部、１４  入力受付部、１５  残量減算部、１６  結果表示部、１７  警告表示部、１８
メッセージ送信部、１９  宛先記憶部、２０  飲み忘れ記憶部、２１  時刻取得部、２２  飲み間違い記憶部。
【図１】
0006034426.tif 000002
【図２】
0006034426.tif 000003
【図３】
0006034426.tif 000004
【図４】
0006034426.tif 000005
【図５】
0006034426.tif 000006
【図６】
0006034426.tif 000007
【図７】
0006034426.tif 000008
【図８】
0006034426.tif 000009
【図９】
0006034426.tif 000010
【図１０】
0006034426.tif 000011
【図１１】
0006034426.tif 000012
【図１２】
0006034426.tif 000013
【図１３】
0006034426.tif 000014
【図１４】
0006034426.tif 000015
【図１５】
0006034426.tif 000016
【図１６】
0006034426.tif 000017